(57)【特許請求の範囲】
【請求項１】
ラインサーマルヘッドに磁性体の板を設け、取付側部材には磁石と、加圧前のヘッドをリボンテープと平行に保つようバネで突出された伸縮性のあるプランジャとを設け、ラインサーマルヘッド及び取付側部材のいずれか一方に取付け兼位置合わせ用のピン及び他方に同ピンが嵌合される孔を設け、ラインサーマルヘッド及び取付側部材のいずれか一方に丸棒の形をした突起を設け他方が同突起に当接されて同突起により前記磁石と前記磁性体の板との間に隙間が形成されラインサーマルヘッドは、プラテンに対し押圧されたときに前記取付け兼位置合わせ用のピンを前記孔に沿って変位させるとともに前記プランジャの伸縮によりプラテンに圧接されるよう前記突起を支点として前記取付側部材と相対的に揺動可能に前記磁石によって保持されるように構成したことを特徴とするラインサーマルヘッドによる印字装置。
【発明の詳細な説明】
【０００１】
【発明の属する技術分野】
本発明は、ラインサーマルヘッドに通電して印字対象物に印字を行う印字装置に関し、特に、ヘッド取付部材に対するラインサーマルヘッドの取付け構造の改良に関する。
【０００２】
【従来の技術】
ラインサーマルヘッドを用いた印字装置では、ラインサーマルヘッドがパルス寿命に到達すると新しいラインサーマルヘッドと取り替える必要がある。ラインサーマルヘッドの取り替え中は印字対象物の流れ、例えば製品包装ラインを停止させることになるので、ラインサーマルヘッドの取り替えは迅速に、正確に位置決めして行えるようにすることが望まれる。ラインサーマルヘッドの取り付けが所定の姿勢で正確に行われないと、ヘッドとリボンテープの平行が保たれずリボンテープの送りや巻き戻しを行うときにリボンテープが蛇行するという不具合を生ずる。
【０００３】
また、印字のためにラインサーマルヘッドをプラテンに対して押圧したときにプラテンに対して適正に圧接されないと鮮明な印字を得ることができない。このようにラインサーマルヘッドによる印字装置は種々の要求を満たすことが必要であるが、これらの要求を充分に満たしうるラインサーマルヘッドによる印字装置は提供されていないのが現状である。
【０００４】
【発明が解決しようとする課題】
本発明は、ラインサーマルヘッドの取り付け、取外しを簡単に行なえ、加圧前はヘッドとリボンテープとの平行を保って、送りと巻き戻しによるリボンテープの蛇行を抑え、かつ、加圧時にはプラテンに対してサーマルヘッドが適正に圧接されて鮮明な印字が得られるように構成したラインサーマルヘッドによる印字装置を提供することを課題としている。
【０００５】
【課題を解決するための手段】
本発明は、前記課題を解決するため、ラインサーマルヘッドに磁性体の板を設け、取付側部材には磁石と、加圧前のヘッドをリボンテープと平行に保つようバネで突出された伸縮性のあるプランジャとを設け、ラインサーマルヘッド及び取付側部材のいずれか一方に取付け兼位置合わせ用のピン及び他方に同ピンが嵌合される孔を設け、ラインサーマルヘッド及び取付側部材のいずれか一方に丸棒の形をした突起を設け他方が同突起に当接されて同突起により前記磁石と前記磁性体の板との間に隙間が形成されラインサーマルヘッドは、プラテンに対し押圧されたときに前記取付け兼位置合わせ用のピンを前記孔に沿って変位させるとともに前記プランジャの伸縮によりプラテンに圧接されるよう前記突起を支点として前記取付側部材と相対的に揺動可能に前記磁石によって保持されるように構成したラインサーマルヘッドによる印字装置を提供する。
【０００６】
このように構成した本発明によるラインサーマルヘッドによる印字装置では、磁性体を設けられたラインサーマルヘッドは、取付側の磁石によって吸引されて取付側部材に保持されるので、着脱をワンタッチで行うことができる。しかも、ラインサーマルヘッドと取付側部材の間には、そのいづれか一方に設けた突起が突出していてラインサーマルヘッドはその突起を支点として取付側部材に対し揺動可能であり、また、取付側部材には伸縮性のあるプランジャが設けてあるのでヘッドはリボンテープと平行を保たれる。また、プラテンに対し押圧されたときにプランジャの伸縮により前記した突起を支点に揺動してヘッドはプラテンに適切に圧接される。
【０００７】
以上の作用によって本発明の印字装置によれば、リボンテープの送りと巻き戻し時にリボンテープの蛇行が抑えられ、かつ、サーマルヘッドはプラテンに対する圧接状態が良好で鮮明な印字を得ることができる。
【０００８】
また、本発明による印字装置では、前記した構成に加え、ラインサーマルヘッド及び取付側部材のいずれか一方に取付け兼位置合わせ用のピンを設け、他方に同ピンが嵌合される孔を設けた構成としていて、取付側に対するラインサーマルヘッドの取付けを正確な位置に迅速に行える。
【０００９】
【発明の実施の形態】
以下、本発明を図示した実施の形態に基づいて具体的に説明する。まず、全体構成を示す図１において、２はラインサーマルヘッドで、４はプラテンである。ラインサーマルヘッド２とプラテン４の間にはプラテン４側を印字対象シート６が移送され、ラインサーマルヘッド２側を熱転写リボンテープ８が原反軸１０から繰り出され巻取軸１２に巻き取られて送られる。
【００１０】
ラインサーマルヘッド２の構成を図２〜図４に示してありこれについて説明する。図２〜図４において、ラインサーマルヘッド２には、熱転写リボンテープ８と接する面と反対側の面に鉄板２２が取り付けられている。２４は鉄板の取付け兼合せピンで、このピン２４によって鉄板２２がサーマルヘッド２に取り付けられているとともに、後記するように取付側部材に設けられた孔に嵌合して位置合わせをする働きをもつ。取付け兼合せピン２４は２本設けられている。
【００１１】
２６は取付側部材で、サーマルヘッド２を保持しプラテン４に対し当接させたり離間させる機能を持つ。取付側部材２６には磁石２８が取り付けられている。３０はプランジャで、取付側部材２６に、サーマルヘッド２に向けて伸縮性をもって突出するように取り付けられている。３２はバネで、プランジャ３０を伸縮性をもって突出させる働きをしている。
【００１２】
取付側部材２６には、サーマルヘッド２を取り付けたときに、サーマルヘッド２に取り付けられた取付け兼合せピン２４が嵌合される２つの孔３４が設けられている。３６は丸棒の形をした突起で、取付側部材２６に取り付けられていて、後記するように、サーマルヘッド２が取付側部材２６に支持されたときに、取付側部材２６に対しサーマルヘッド２が相対的に傾動するときの支点となる。
【００１３】
本実施形態による印字装置は以上の構成を有しており、サーマルヘッド２は取付側部材２６に対し、磁石２８による磁力で保持される。取付側部材２６に対するサーマルヘッド２の位置決めは、鉄板２２を取り付けている取付け兼合せピン２４が孔３４に嵌合することによって容易に行うことができる。サーマルヘッド２は、鉄板２２が磁石２８の磁力で引かれて保持されているだけなので容易に取り外しができ、かつ、容易に取り付けができる。
【００１４】
サーマルヘッド２が取付側部材２６に保持された状態では、図４に見られるように、両者間には突起３６により隙間が形成され、その隙間は、伸縮性のあるプランジャ３０の存在によって、突起３６を支点としてサーマルヘッド２が取付側部材２６に対し揺動可能にする空間を与えている。この突起３６を支点とするサーマルヘッド２の変位によって、サーマルヘッド２が印字対象シート６と熱転写リボンテープ８を挟んでプラテン４に押圧されたときにサーマルヘッド２がプラテン４に対し良好に圧接された状態となる。
【００１５】
サーマルヘッド２がプラテン４に対し押圧される前の状態では、プランジャ３０によってサーマルヘッド２はリボンテープ８との平行を保たれ、リボンテープ８が送り又は巻き戻されるときの蛇行を抑える。以上の構成と作用によって、この印字装置によると鮮明な印字ができる。
【００１６】
以上、本発明を図示した実施形態に基づいて具体的に説明したが、本発明がこれらの実施形態に限定されず特許請求の範囲に示す本発明の範囲内で、その具体的構造、構成に種々の変更を加えてよいことはいうまでもない。
【００１７】
例えば、上記実施形態では突起３６を取付側部材２６に取り付けているが、これをサーマルヘッド２側に取り付けてもよい。また、上記実施形態では、サーマルヘッド２に鉄板２２を取り付けているが、鉄板以外の磁性体であってよい。更に、上記実施形態では円形の磁石２８を用いているが、円形であることに限らない。
【００１８】
また、上記実施形態では、取付側部材２６に対するサーマルヘッド２の位置合せのため、鉄板の取付け兼合せピン２４を用いているが、鉄板の取付けピンとは別に合せピンを設けてもよい。
【００１９】
【発明の効果】
以上のとおり、本発明は、ラインサーマルヘッドに磁性体の板を設け、取付側部材には磁石と、加圧前のヘッドをリボンテープと平行に保つようバネで突出された伸縮性のあるプランジャとを設け、ラインサーマルヘッド及び取付側部材のいずれか一方に取付け兼位置合わせ用のピン及び他方に同ピンが嵌合される孔を設け、ラインサーマルヘッド及び取付側部材のいずれか一方に丸棒の形をした突起を設け他方が同突起に当接されて同突起により前記磁石と前記磁性体の板との間に隙間が形成されラインサーマルヘッドは、プラテンに対し押圧されたときに前記取付け兼位置合わせ用のピンを前記孔に沿って変位させるとともに前記プランジャの伸縮によりプラテンに圧接されるよう前記突起を支点として前記取付側部材と相対的に揺動可能に前記磁石によって保持されるように構成したラインサーマルヘッドによる印字装置を提供する。
【００２０】
このように構成した本発明のラインサーマルヘッドによる印字装置では、磁性体を設けられたラインサーマルヘッドは、取付側の磁石によって吸引されて取付側部材に保持されるので、着脱をワンタッチで行うことができる。
また、ラインサーマルヘッドと取付側部材の間には、そのいづれか一方に設けた突起が突出していてラインサーマルヘッドはその突起を支点として取付側部材に対し揺動可能であり、また、取付側部材には伸縮性のあるプランジャが設けてあるのでヘッドはリボンテープと平行を保たれるとともに、プラテンに対し押圧されたときにプランジャの伸縮により前記した突起を支点に揺動してヘッドはプラテンに適切に圧接され、鮮明な印字を得ることができる。
【００２１】
本発明による印字装置においては、前記した構成に加え、ラインサーマルヘッド及び取付側部材のいずれか一方に取付け兼位置合わせ用のピンを設け、他方に同ピンが嵌合される孔を設けた構成としてあるので、取付側に対するラインサーマルヘッドの取付けを正確な位置に迅速に行える。
【図面の簡単な説明】
【図１】本発明の実施の一形態によるラインサーマルヘッドによる印字装置の全体構成説明図。
【図２】図１に示されたラインサーマルヘッドの構成を示す側面図。
【図３】図２のラインサーマルヘッドを別の面から見た図面で、（ａ）は図２のＡ矢視図、（ｂ）は図２のＢ矢視図、（ｃ）は（ａ）の端面図。
【図４】図２と同様の側面図であるが、サーマルヘッド本体を取付側部材に接合した状態を示している。
【符号の説明】
２    ラインサーマルヘッド
４    プラテン
６    印字対象シート
８    熱転写リボンテープ
１０  原反軸
１２  巻取軸
２２  鉄板
２４  鉄板の取付け兼合せピン
２６  取付側部材
２８  磁石
３０  プランジャ
３２  ばね
３４  孔
３６  突起
【図１】
0003688176.tif 000002
【図２】
0003688176.tif 000003
【図３】
0003688176.tif 000004
【図４】
0003688176.tif 000005